(57)【要約】      （修正有）【課題】種々の付属品の後付け設置を可能にして、趣のある展示を種々演出できると共に、運搬のし易い商品展示台単体及びその組立体を提供する。【解決手段】展示商品が載置される板状のステージ台１と、該ステージ台の裏面の略四隅から下方に延びる短足状の脚部材２とを備える硬質プラスチック製であって、前記脚部材には、柱状部材が下から差し込まれて嵌合する第１嵌合用孔が形成され、該ステージ台の表面側四隅には、柱状部材が上から差し込まれて嵌合する第２嵌合用孔３ａが形成され、該第１嵌合用孔と該第２嵌合用孔は、孔の開口形状が同じである商品展示台単体１０。【選択図】図１
0003166340.tif 000002
【実用新案登録請求の範囲】
【請求項１】
展示商品が載置される板状のステージ台と、
ステージ台の裏面の略四隅から下方に延びる短足状の脚部と、を備える硬質プラスチック製であって、
該脚部には、柱状部材が下から差し込まれて嵌合する第１嵌合用孔が形成され、該ステージ台の表面側四隅には、柱状部材が上から差し込まれて嵌合する第２嵌合用孔が形成され、該第１嵌合用孔と該第２嵌合用孔は、孔の開口形状が同じであることを特徴とする商品展示台単体。
【請求項２】
該第２嵌合用孔には、該孔を塞ぐキャップ部材が嵌められていることを特徴とする請求項１記載の商品展示台単体。
【請求項３】
該ステージ台の表面側の縁周りには、周回溝が形成されていることを特徴とする請求項１又は２記載の商品展示台単体。
【請求項４】
該ステージ台の表面側中央には、柱状部材が上から差し込まれて嵌合する第３嵌合用孔が形成されていることを特徴とする請求項１〜３のいずれか１項に記載の商品展示台単体。
【請求項５】
該第２嵌合用孔と該第３嵌合用孔は、同じ孔形状であることを特徴とする請求項４記載の商品展示台単体。
【請求項６】
該第３嵌合用孔には、該孔を塞ぐキャップ部材が嵌められおり、該キャップ部材の表面と該ステージ台の表面は略面一であることを特徴とする請求項４又は５記載の商品展示台単体。
【請求項７】
該ステージ台の裏面側中央には、下方に延びる短足状の中央脚部を有することを特徴とする請求項１〜６のいずれか１項に記載の商品展示台単体。
【請求項８】
該中央脚部は、該略四隅に形成される短足状の脚部より、脚長さが僅かに短いものであることを特徴とする請求項７記載の商品展示台単体。
【請求項９】
該ステージ台は４つの側板を有し、側板で囲まれた内側部分はリブ構造であって、該側板に平行且つ２つの脚部間に差し渡し状で板状リブが形成され、該側板と板状リブで長溝を形成することを特徴とする請求項１〜８のいずれか１項に記載の商品展示台単体。
【請求項１０】
該板状リブは、該脚部の下端近傍にまで連続することを特徴とする請求項９記載の商品展示台単体。
【請求項１１】
該ステージ台の表面側の周縁には、適宜の間隔及び適宜の数の嵌合用丸孔が形成されてなることを特徴とする請求項１〜１０のいずれか１項に記載の商品展示台単体。
【請求項１２】
該ステージ台の表面側には、キャスター取付用のボルト挿入孔が形成されてなることを特徴とする請求項１〜１１のいずれか１項に記載の商品展示台単体。
【請求項１３】
請求項１〜１２の商品展示台単体の２個以上を積み重ねて得られることを特徴とする組立体。
【請求項１４】
柱状部材の一端を第２嵌合用孔に、他端を第１嵌合用孔に差し込み、請求項１〜１２の商品展示台単体の２個以上を組み付けて得られることを特徴とする組立体。
【考案の詳細な説明】
【技術分野】
【０００１】
本考案は、比較的サイズの大きな商品などの展示を好適に演出する商品展示台単体及びそれを使用した組立体に関するものである。
【背景技術】
【０００２】
百貨店、量販店などにおいては、比較的サイズの大きな商品を陳列したり、中サイズの商品を多数陳列したりすることがある。この場合、大きな陳列面を有する強度的に安定な商品展示台が使用される。また、商品の販売よりも展示を目的とした見本市などのイベントにおいては、比較的大きなステージ台に展示品を載せて展示することがある。
【０００３】
従来の商品展示台としては、箱状の台を数個用意し、並べたり積み重ねたりして大きな展示用のステージ台を造っていた。また、強度の高いスチール製の台を数個用意し、並べたり積み重ねたりして大きな展示用のステージ台を造っていた。
【考案の開示】
【考案が解決しようとする課題】
【０００４】
しかしながら、従来の商品展示台は、形状が固定しており、組み合わせたものであっても展示の演出に乏しいものであるか、あるいは重量物でしかもサイズが大きいため、搬送し難いものであった。
【０００５】
従って、本考案の目的は、種々の付属品の後付け設置を可能にして、趣のある展示を種々演出できると共に、運搬のし易い商品展示台単体及びその組立体を提供することにある。
【０００６】
かかる実情において、本考案者は鋭意検討を行った結果、硬質プラスチック製で、短足状の脚部には、柱状部材が下から差し込まれて嵌合する第１嵌合用孔が形成され、ステージ台の表面四隅には、柱状部材が上から差し込まれて嵌合する第２嵌合用孔が形成され、該第１嵌合用孔と該第２嵌合用孔は、孔の開口形状が同じである商品展示台単体及びその組立体であれば、種々の付属品の後付け設置を可能にして、趣のある展示を種々演出できると共に、運搬のし易いこと等を見出し、本考案を完成するに至った。
【０００７】
すなわち、本考案は、展示商品が載置される板状のステージ台と、ステージ台の裏面の略四隅から下方に延びる短足状の脚部と、を備える硬質プラスチック製であって、該脚部には、柱状部材が下から差し込まれて嵌合する第１嵌合用孔が形成され、該ステージ台の表面四隅には、柱状部材が上から差し込まれて嵌合する第２嵌合用孔が形成され、該第１嵌合用孔と該第２嵌合用孔は、孔の開口形状が同じであることを特徴とする商品展示台単体を提供するものである。
【０００８】
また、本考案は、前記商品展示台単体の２個以上を積み重ねて得られることを特徴とする組立体を提供するものであり、また、本考案は、柱状部材の一端を第２嵌合用孔に、他端を第１嵌合用孔に差し込み、前記商品展示台単体の２個以上を組み付けて得られることを特徴とする組立体を提供するものである。
【考案の効果】
【０００９】
本考案によれば、種々の付属品の後付け設置を可能にして、趣のある展示を種々演出できると共に、リブ構造の硬質プラスチック製であるため運搬がし易い。
【図面の簡単な説明】
【００１０】
【図１】本実施の形態における商品展示台単体の斜視図である。
【図２】図１の商品展示台単体の裏側から見た斜視図である。
【図３】図１のＡ−Ａ線に沿って見た脚部近傍の断面図である。
【図４】図１の商品展示台単体の側面図である。
【図５】図１の商品展示台単体の使用例を示す図である。
【図６】図１の商品展示台単体の他の使用例を示す図である。
【図７】図１の商品展示台単体を２台積み重ねた組立体である。
【図８】図１の商品展示台単体を柱状部材を介して２台積み重ねた組立体である。
【図９】図８の組立体の他の使用例を示す図である。
【図１０】図８の組立体の他の使用例を示す図である。
【図１１】図８の組立体の他の使用例を示す図である。
【図１２】組立体の他の使用例を示す図である。
【図１３】組立体の他の使用例を示す図である。
【図１４】組立体の他の使用例を示す図である。
【考案を実施するための形態】
【００１１】
次に、本発明の実施の形態における商品展示台単体を図１〜図６を参照して説明する。商品展示台単体１０は、展示商品が載置される板状のステージ台１と、ステージ台１の裏面の略四隅から下方に延びる短足状の脚部２と、を備える硬質プラスチック製である。硬質プラスチックとしては、硬質ポリプロピレン等公知のものが使用できる。
【００１２】
板状のステージ台１は、展示商品が載置されるもので、平面視が長方形でやや短めの高さの側板１２ａ、１２ｂを有する。側板１２ａ、１２ｂの高さは概ね、５０〜２００ｍｍである。短足状の脚部２とステージ台１の側板１２ａ、１２ｂの高さを抑えることで、載置面が低くなり、大きな商品や重量のある商品の設置安定性が向上する。また、ステージ台１は４つの側板１２ａ、１２ｂで囲まれた内側部分はリブ構造である。このリブ構造としては、特に制限されないが、本例では、多数の縦リブ１３と多数の横リブ１４が格子状に配置されたものである。これにより、強度を保持しつつ軽量化が図れる（図２参照）。
【００１３】
ステージ台１の表面側の縁周りには、周回溝５が形成されている。周回溝５の溝幅は数ｍｍ〜１０ｍｍであり、溝底を有するものが好ましい。これにより、転落防止板、目隠し用化粧板、柵部材等の設置が可能となる。また、周回溝５は溝底が段差のある２段底となっていてもよい。これより、溝幅の異なる２つの溝が形成でき、２つの異なる厚みの板状物の設置が可能となる。図６は周回溝１５に柵部材１８を設置したものであり、後方柵より前方柵の高さが低いため、前方から展示商品を投入することができる。
【００１４】
ステージ台１の表面側の四隅には、柱状部材３１が上から差し込まれて嵌合する第２嵌合用孔３ａが形成され、ステージ台１の表面側中央には、柱状部材３１が上から差し込まれて嵌合する任意の構成要素である第３嵌合用孔３ｂが形成されている。これにより、商品展示台単体１０を柱状部材３１を介して、積み重ねることで、図８及び図１３に示すような２段の組立体３０、６０を得ることができる。図８に示すように、ステージ台１の表面側四隅の第２嵌合用孔３ａを使用する場合は、注状部材３１は４本の使用となり、更に表面側中央の第３嵌合用孔３ｂを使用する場合は、柱状部材３１は合計５本の使用となり、設置安定性が向上する。また、第２嵌合用孔３ａと第３嵌合用孔３ｂは、同じ孔形状である。これにより、同じ形状の柱状部材３１が使用できる。なお、第２嵌合用孔３ａと第３嵌合用孔３ｂの孔の深さは適宜決定される。
【００１５】
第２嵌合用孔３ａ及び第３嵌合用孔３ｂには、通常、孔を塞ぐキャップ部材４が嵌められおり、キャップ部材４の表面とステージ台１の表面は略面一である。これにより、柱状部材３１を使用しない場合、キャップ部材４を第２嵌合用孔３ａと第３嵌合用孔３ｂに嵌めておけば、載置面を凸凹のない大きな平坦面とすることができる。キャップ部材４は、キャップ天板４１と孔に嵌る脚部４２とからなる。
【００１６】
ステージ台１の表面側の周縁には、適宜の間隔及び適宜の数の嵌合用丸孔６が形成されている。本例では、長手方向における一方の側縁には、中央に２つ、両端側にそれぞれ１つ都合４つ、長手方向における他方の側縁には、中央に２つ、両端側にそれぞれ１つ都合４つ、短手方向における一方の側縁には、２つ、短手方向における他方の側縁には、２つそれぞれ形成されている。また、キャップ部材４には、全て前記嵌合用丸孔６と同じ形状の丸孔が形成されている。嵌合用丸孔６は、数十ｍｍ程度の深さを有するもので、図５に示すように、ＰＯＰ表示１６用の丸棒部材１７などが差し込まれる。このように、多くの嵌合用丸孔６を設けることで、ＰＯＰ表示用の丸棒部材を種々の位置に、種々の形状で設置でき、展示を趣のあるものにすることができる。
【００１７】
ステージ台１の表面側には、キャスター取付用のボルト挿入孔１５が形成されてなる。キャスター取付用のボルト挿入孔１５は、不図示のキャスターフランジの４つの孔に対応するため、１つのキャスターに対して、４つ形成されることになる。本例では、一方の長手方向の側縁近傍に３箇所、他方の長手方向の側縁近傍に３箇所、都合６箇所に形成されている。すなわち、キャスターを取り付ける際は、ボルトをボルト挿入孔１５及びキャスターフランジの孔に通し、ナットで締め付ければよい。
【００１８】
また、ステージ台１の裏側において、側板１２ａ、１２ｂに平行且つ２つの脚部２、２間に差し渡し状で板状リブ８が形成されおり、側板１２ａ、１２ｂと板状リブ８で形成される隙間が長溝９となっている。この長溝９は、周回溝５と対応する位置にあり、転落防止板や目隠し用化粧板等の板状物の上縁部が係合する。また、板状リブ８は、脚部２の下端近傍にまで連続しており、ステージ台のみならず、脚部２の強度も補強している。
【００１９】
脚部２において、短足とは、通常の５００ｍｍ程度の脚部に比べて、短いという意味であり、概ね１００〜２００ｍｍ程度のものである。脚部２を短足状にすることで、ステージ台１の高さが低くなり、大きな商品や重量のある商品の設置安定性が向上する。また、ステージ台１を持ち上げ易くなると共に、搬送し易くなる。
【００２０】
脚部２には、柱状部材３１が下から差し込まれて嵌合する第１嵌合用孔２１が形成されている。第１嵌合用孔２１は、所定の開口形状と孔底を有する。孔底は、面であってもリブ状の部分面であってもよい。すなわち、脚部２の第１嵌合用孔２１には、別途部材である柱状部材３１が差し込まれて、ステージ台１に高さが付与される。
【００２１】
第１嵌合用孔２１と第２嵌合用孔３は、孔の開口形状が同じである。これにより、長さ方向に均一形状の柱状部材３１を使用する場合、上下関係なく使用できる。第１嵌合用孔２１と第２嵌合用孔３において、孔の深さは同じでも異なっていてもよい。
【００２２】
ステージ台１の裏面側中央には、更に中央脚部７を有する。中央脚部７は、４つの脚部２より約数ｍｍ程度と僅かに短足である。これにより、商品を展示しない場合あるいは展示商品が軽量の場合、ステージ台１は４つの脚部２で支持され、展示品が重量物の場合、ステージ台１が僅かに撓んで４つの脚部２と中央脚部７で大きなステージ台１が支持される。中央脚部７の脚径（径方向の最大長さ）は、脚部２の脚径より大とすることが好ましい。これにより、重量物を安定して支持できる。中央脚部７は、本例では内部がリブ構造であり、これにより、強度を保持しつつ軽量化を図っている。
【００２３】
次に、本発明の実施の形態における組立体を図７〜図１４を参照して説明する。図７は上段の商品展示台単体が下段の商品展示台単体に載置される直前の状態を示す。図７の組立体２０は、２個の商品展示台単体１０、１０を積み重ねて得られるものである。組立体２０は、ステージ台１のステージ面の嵩上げを狙ったものであるが、下段のステージ台のステージ面に展示商品を載置することもできる。
【００２４】
図８の組立体３０は、柱状部材３１の一端（下端）部を下段の商品展示台単体１０の第２嵌合用孔３ａに差し込み、他端（上端）部を上段の商品展示台単体１０の脚部２の第１嵌合用孔２１に差し込んで、２台の商品展示台単体１０を組み付け、２段のステージ面を形成したものである。組立体３０は、上下２つのステージ台１のステージ面に展示商品を載置することができる。
【００２５】
図９の組立体４０は、図８の組立体３０に更に、柱状部材３１を介して商品展示台単体１０を積み重ねたものである。すなわち、柱状部材３１の一端（下端）部を中段の商品展示台単体１０の第２嵌合用孔３ａに差し込み、他端（上端）部を上段の商品展示台単体１０の脚部２の第１嵌合用孔２１に差し込み、３台の商品展示台単体１０を組み付け、３段のステージ面を形成したものである。組立体４０は、３つのステージ台１のステージ面に展示商品を載置することができる。なお、本発明の組立体は、商品展示台単体１０の積み重ね数は上記形態に限定されず、４個以上も可能である。また、図９の組立体４０は、目隠し用化粧板４１を中段の商品展示台単体１０の周回溝５と上段の商品展示台単体１０の長溝９に係合して設置する。なお、図９では目隠し用化粧板４１は２枚の使用であるが、実際は４枚を使用し、四方全てを目隠しするものである。また、目隠し用化粧板４１は、下段の商品展示台単体１０と中段の商品展示台単体１０間に設置することができる。なお、隠し用化粧板４１は、商品展示台単体１０を横並びにしたもの（図１２）、商品展示台単体１０を横並びにしたものに、更に商品展示台単体１０を積み重ねたもの（図１４）にも設置できる。このような組立体はステージ台１というよりもボックスとして認識でき、趣の異なる展示を演出できる。
【００２６】
２台の商品展示台単体１０を積み重ねて得られる組立体３０は、例えば図１０に示すように、柵部材３３を上段の商品展示台単体１０の周回溝５に設置すれば、上段の商品展示台単体１０のステージ台１の上面に載置された商品の転落を防止できる。なお、柵部材３３の下端に下方に延びる係止丸棒（不図示）が形成されていれば、係止丸棒を嵌合用丸孔６に係合させてもよい。また、図１１に示すように、透明のアクリル板３４を上段の商品展示台単体１０の周回溝５に設置すれば、上段の商品展示台単体１０のステージ台１の上面に載置された商品の転落を防止できる。
【００２７】
商品展示台単体１０は別途部材のキャスター６１を取り付けることができる。キャスター６１の使用個数は少なくとも４個であり、本例では６個である。これにより、商品展示台単体１０は移動自在となる。また、商品展示台単体１０を複数台使用した組立体においても、同様に、下段の商品展示台単体１０に別途部材のキャスター６１を取り付けることができる。これにより、組立体は移動自在となる。
【産業上の利用可能性】
【００２８】
本発明によれば、注状部材、転落防止板、目隠し用化粧板、柵部材、キャスター、アクリル板、ＰＯＰ表示用ポール等の種々の付属品の後付け設置を可能にしている。このため、趣のある展示を種々演出できる。また、商品展示台単体は脚部材が短足状でもあり、運搬がし易い。
【符号の説明】
【００２９】
１      ステージ台
２      脚部材
３ａ    第２嵌合用孔
３ｂ    第３嵌合用孔
４      キャップ部材
５      周回溝
６      嵌合用丸孔
７      中央脚部材
８      板状リブ
９      長溝
１０      商品展示台単体
２０、３０、４０、５０、６０、７０    組立体
２１    第１嵌合用孔
【図１】
0003166340.tif 000003
【図２】
0003166340.tif 000004
【図３】
0003166340.tif 000005
【図４】
0003166340.tif 000006
【図５】
0003166340.tif 000007
【図６】
0003166340.tif 000008
【図７】
0003166340.tif 000009
【図８】
0003166340.tif 000010
【図９】
0003166340.tif 000011
【図１０】
0003166340.tif 000012
【図１１】
0003166340.tif 000013
【図１２】
0003166340.tif 000014
【図１３】
0003166340.tif 000015
【図１４】
0003166340.tif 000016
【手続補正書】
【提出日】平成22年12月17日(2010.12.17)
【手続補正１】
【補正対象書類名】実用新案登録請求の範囲
【補正対象項目名】請求項１３
【補正方法】変更
【補正の内容】
【請求項１３】
請求項１〜１２のいずれか１項に記載の商品展示台単体の２個以上を積み重ねて得られることを特徴とする組立体。
【手続補正２】
【補正対象書類名】実用新案登録請求の範囲
【補正対象項目名】請求項１４
【補正方法】変更
【補正の内容】
【請求項１４】
柱状部材の一端を第２嵌合用孔に、他端を第１嵌合用孔に差し込み、請求項１〜１２のいずれか１項に記載の商品展示台単体の２個以上を組み付けて得られることを特徴とする組立体。